Podtech/llm-jp-corpus-v4-ja_patent huggingface dataset:
(57)【要約】【課題】排水浄化装置に残留している水が多量に残留し重いため清掃作業を困難にしている。【解決手段】排水浄化装置内の隔壁に布などを設置することで毛細管現象を起こし、内部に常に残留している水の量を減量することで清掃作業の作業効率をあげる。また、装置内に残留している水を吸水ポリマーなどでゲル状にして廃棄する方法をとる場合、内部に残留している水の量を減量する事で必要となる吸水ポリマーなど処理剤の量も少なくなりメンテナンス費用が節約できる。【選択図】図１
2006116097.tif 000002
【特許請求の範囲】
【請求項１】
石膏トラップなどの雑排水浄化装置には、排水中のゴミを沈殿および浮上させるために装置内を隔壁によっていくつかの槽に区切っている。図１および図２に示すように、その槽の間の隔壁５、７に布１０を備え毛細管現象によって装置内の残留している水を減量できることを特徴とする排水浄化装置。
【発明の詳細な説明】
【技術分野】
【０００１】
本発明は、石膏やワックスを含んだ雑排水の浄化装置に関するものであり、特に、歯科医院や歯科技工所で排水処理のために使用されている石膏トラップ内の清掃作業を効率的に行う装置に関する。更に、本発明は、石膏トラップに限らず、グリーストラップなど雑排水の浄化装置の装置内の清掃作業を行うときに有効な技術に関するものである。
【背景技術】
【０００２】
歯科医院や歯科技工所などで使用されている従来の石膏トラップは図３に示すように、流しからの排水が図の８（排水流入口）より図の１（第１槽）に流れ込む。第１槽で比重の重いゴミを沈殿させ排水から比重の重いゴミを分離させる。比重の重いゴミの多くが沈殿し排水と分離して隔壁５を越えて図の２（第２槽）に流れ込む。第２槽では排水から比重の軽いゴミを浮遊させることで排水から分離し、隔壁６をくぐり図の３（第３槽）に流れ込む。第３槽では第１槽と同様に比重の重いゴミを沈殿させる。第4槽でも比重の重いゴミを沈殿させ浄化された排水が排水流出口である９より排出され下水道へ流れていく。
【０００３】
連続して流しからの排水が石膏トラップに流入している場合は図３の斜線に示す部分が排水浄化装置内の残留水の量となる。従来の石膏トラップには通孔１１を隔壁に備えている物もある。通孔１１は排水流出口９とほぼ同じ高さに位置することで図４の斜線部分まで浄化装置内の残留水の量を減量することができる。
【０００４】
しかし、通孔11を備えている場合は比重の重いゴミが沈殿によって排水から分離する前に隣の槽に流入してしまい、排水の浄化効率が低下する。
【０００５】
また、排水流出口９および通孔１１の設置位置を低い位置にすれば排水浄化装置内に常に残留する水の量を減量することができるが、沈殿物によって通孔11がすぐに目詰まりを起こしてしまうので頻繁に清掃作業をしなければならない。
【特許文献１】特開２００３−１１６８８６号公報
【発明の開示】
【発明が解決しようとする課題】
【０００６】
排水浄化装置は定期的に沈殿物と浮遊物の除去（清掃作業）をしなければならない。その時に装置内に残留している水が清掃作業を困難にしている。
【０００７】
通常の場合、石膏トラップはシンクの下に置かれて、排水管と接続されているため、場所が狭く、清掃作業がやりにくい。更に、様々な排水が流れ込むため、悪臭を伴う場合も多く、困難な作業となっていた。
【課題を解決するための手段】
【０００８】
本発明は、石膏トラップ内に常に残っている水を減量する方法で、図１、及び図２の１０に示すように各槽の間に布などで毛細管現象を用いることで残っている水を減量する事を主要な特徴とする。
【発明の効果】
【０００９】
通常の場合は、石膏トラップはシンクの下に置かれているがその場所に置いたままでは清掃作業が出来ないため、接続している排水管を外しシンクの下から取り出さなければならない。本発明によって容器の重量の大半を占める残留水が減量することができるのでシンクから取り出す作業が楽になる。
【００１０】
排水浄化装置の清掃作業の方法の１つとして、装置内に残留している水を減量してから沈殿物・浮遊物を装置内からすくい出す方法があるが、本発明を利用すると装置内に残留している水を減らす作業を簡略化できる。
【００１１】
排水浄化装置の清掃作業の他の方法として、吸水ポリマーなどの化学物質の処理剤を用いて装置内に残留している水をゲル状にして沈殿物・浮遊物と一緒にすくい出す方法があるが、本発明を利用すると処理剤の使用量を少なくすることが出来メンテナンス費用が大幅に節約される。
【実施例１】
【００１２】
本発明の排水浄化装置は図１に示すように排水浄化装置内に排水が満杯にある状態でも、図１の設置してある布１０によって毛細管現象が起こり第１槽、第２槽、第３槽、第４槽が同じ水位になる。従って図２の斜線に示す位置まで残っている水の水位を下げる事を実現した。水位が同じ状態になった時の説明図が図２である。
【００１３】
図1に排水浄化装置内の残留水が満水の状態を示している。
【００１４】
図２に排水浄化装置内の残留水が水位の均衡が取れた状態を示している。
【００１５】
２（第２槽）と３（第３槽）を隔てる隔壁６の下端は排水流出口９よりも低い位置に設置することで、水位の均衡が取れた状態でも隔壁６によって２（第２槽）と３（第３槽）が分けられている状態になる。隔壁６は水より比重の軽いゴミを堰き止める役目がある。
【図面の簡単な説明】
【００１６】
【図１】本発明の排水浄化装置の断面図であり内部の水が満杯である状態。（実施例１）
【図２】本発明の排水浄化装置の断面図であり毛細管現象により水が減量した後、水位の均衡が取れた状態。（実施例１）
【図３】従来からの排水浄化装置の代表的な構造を示した断面図であり内部の水が満杯である状態。
【図４】従来からの排水浄化装置の代表的な構造を示した断面図であり内部の水が排水され、水位の均衡が取れた状態。
【符号の説明】
【００１７】
１    第１槽
２    第２槽
３    第３槽
４    第４槽
５    隔壁
６    隔壁
７    隔壁
８    排水流入口
９    排水流出口
１０    布
１１    通孔
【図１】
2006116097.tif 000003
【図２】
2006116097.tif 000004
【図３】
2006116097.tif 000005
【図４】
2006116097.tif 000006
(57)【要約】【課題】  コスト面で制約のあるＰＤ機の液晶画面の小ささ、明るさ面を補うこと。【解決手段】  液晶画面に外枠、中枠を設け、自由に動く平面レンズとフードを自在に動く構成で、小ささ、明るさを補った。【選択図】  図１
2006116897.tif 000002
【特許請求の範囲】
【請求項１】
印字記録装置であって、画像表示手段と、光学的拡大手段と、外乱光から画像表示装置を遮光する手段とを有し、前記画像表示手段に対して、前記光学的拡大手段と前記遮光手段を自在に選択し表示する事を特徴とした印字記録装置。
【発明の詳細な説明】
【技術分野】
【０００１】
近年、デジタルカメラの進歩と普及により、デジタルカメラをプリンタに直接接続して画像印字できる印字記録装置（以下プリンタ）が増えてきた。
【０００２】
このプリンタには、デジタルカメラを直接接続するだけでなく、デジタルカメラのメモリカードをプリンタに差し込んで印字するものがあり、メモリカードに記録された画像ファイルをプリンタに内蔵された液晶表示装置などの画像表示装置に表示し、これを選択してから印字する形式をとっている。
【０００３】
デジタルカメラを直接接続し、印字できる機能がプリンタに付加されても、デジタルカメラのメモリカードをプリンタに差し込んで印字できるプリンタが好まれるのは、デジタルカメラの電池消耗を避けることや、何枚ものメモリカードを所有しているユーザには、デジタルカメラなしで画像を確認したり、印字したいという要望があるからである。
【背景技術】
【０００４】
比較的大きな表示面積と、プリント機能を併せ持つプリンタとして、特許文献１をあげることが出来る。
【０００５】
プリンタは価格競争が進み、上記画像表示手段に多く用いられる液晶表示装置は高価格の為、大きな液晶表示を採用したくても高価格であるので、大きな液晶表示装置を採用できない状況にある。
【０００６】
価格のつりあいから、液晶表示装置は大きなものを使用できないため、通常は２インチ程度の液晶が採用される場合が多い。
【０００７】
また、液晶表示を明るくするには、バックライトの強化が必要であるが、バックライトを強化するには、これも価格とのつりあいがある。
【特許文献１】特開2001-92016号公報
【発明の開示】
【発明が解決しようとする課題】
【０００８】
本発明が解決しようとする問題点は、液晶表示装置の価格面でのつりあいにより、「表示が小さい」、「暗い」という問題である。
【課題を解決するための手段】
【０００９】
そこで、液晶表示装置に対して段階的にスライドする筒状構造にし、拡大手段を取付ても自在にスライドできる手段を設けた。
【発明の効果】
【００１０】
本発明によりコスト面で問題のあった液晶表示の小ささと明るさを補うことができ、最小限のコストで実現可能なことが本発明の効果である。
【発明を実施するための最良の形態】
【００１１】
（実施例１）
本実施例を順に追って説明する。
【００１２】
図１は、プリンタとデジタルカメラを接続した例で、１はプリンタ本体、２はデジタルカメラと接続するI/Fコネクタ、３はデジタルカメラ、４はI/Fケーブル、５はプリンタの表示部、６はメモリカードスロットである。
【００１３】
図２から図７は、それぞれ表示装置の正面と側面を示した図でａを付した方が正面、ｂを付した方が側面である。
【００１４】
２１は表示画面、２２は平面レンズ、２３は外枠、２４は表示装置、２５は中枠である。
【００１５】
次に順を追って説明する。
【００１６】
図１では、プリンタ１とデジタルカメラ３をI/Fケーブル４で接続している状態を示した図である。
【００１７】
このプリンタ１は、デジタルカメラ３の画像を印字するのに、I/Fケーブルで接続する方法の他にデジタルカメラ３内蔵のメモリカード（不図示）を取り出し、プリンタ１のメモリカードスロット６に差込み、画像を表示部５で確認しながら操作し、印字する方法も可能である。
【００１８】
表示部５を詳細に見たのが、図２から図７である。
【００１９】
前述のように価格的な理由により表示画面の大きさや、バックライトの大きさが限定された表示装置に外枠２３と、平面レンズ２２と、中枠２５とを取り付けた状態で、通常の状態を示したのが図２である。
【００２０】
平面レンズ２２は、表示画面２１と密着しているので、拡大されていない状態である。
【００２１】
次に外枠２３、中枠２５と、平面レンズ２２を一緒に１段繰り出した状態が、図３である。
【００２２】
この状態では、平面レンズ２２により表示画面２１が拡大されている。
【００２３】
さらに外枠２３と、平面レンズ２２を１段繰り出した状態が、図４である。
【００２４】
図３に比べてさらに表示画面２１が拡大されている。
【００２５】
（実施例２）
図２から４の方法だと画面が拡大されるが、外乱光により画面が暗く見える場合がある。
【００２６】
そこで、図５から７の方法により、画像を拡大しつつ、外乱光によって画面が暗く見えるのを防止した。
【００２７】
図５、６は、図２、３とそれぞれ同様である。
【００２８】
図７において、１段繰り出す時に、平面レンズは図６のままで繰り出さず、外枠２３のみを繰り出している。
【００２９】
表示画面２１の拡大率は、図５と変わらないが、外枠２３が繰り出すことにより、外乱光を防ぐので、画面が明るく見える効果がある。
【００３０】
以上、説明した中で平面レンズの種類は限定されない、外枠、中枠の素材も限定されない。
【図面の簡単な説明】
【００３１】
【図１】プリンタとデジタルカメラを接続した例
【図２】表示装置の正面と側面を示した図
【図３】表示装置の正面と側面を示した図
【図４】表示装置の正面と側面を示した図
【図５】表示装置の正面と側面を示した図
【図６】表示装置の正面と側面を示した図
【図７】表示装置の正面と側面を示した図
【符号の説明】
【００３２】
１  プリンタ本体
２  デジタルカメラと接続するI/Fコネクタ
３  デジタルカメラ
４  I/Fケーブル
５  プリンタの表示部
６  メモリカードスロット
２１  表示画面
２２  平面レンズ
２３  外枠
２４  表示装置
２５  中枠
【図１】
2006116897.tif 000003
【図２】
2006116897.tif 000004
【図３】
2006116897.tif 000005
【図４】
2006116897.tif 000006
【図５】
2006116897.tif 000007
【図６】
2006116897.tif 000008
【図７】
2006116897.tif 000009
(57)【要約】      （修正有）【課題】簡易椅子として、軽くて、丈夫で、持ち運びが楽で、格好も良く見えて、組み立て分解は誰でも簡単に出来る椅子。【解決手段】段ボールを素材とした簡易椅子で、座面２の端が強くなるように三角形を四隅に設けて、その内側に日の字形に折り曲げた脚板１１を差し込めば椅子は出来あがる。携帯には、脚板１１を引き抜きアコーデオン折りにして抜いた所に入れてゴムバンドで挟めば紛失しない。【選択図】図４
2006116281.tif 000002
【特許請求の範囲】
【請求項１】
座面の四隅に少なくとも三角形を一体に設けた簡易椅子。
【請求項２】
座面ウラの凹部に着脱可能な脚板を設けた簡易椅子。
【請求項３】
座面ウラの凹部に折りたたんだ脚板を収納できる簡易椅子
【発明の詳細な説明】
【発明の詳細な説明】
【０００１】［発明の属する技術分野］  本発明は、携帯できる簡易椅子に関するものである。
【０００２】［従来の技術］  従来、この種の簡易椅子は鉄パイプ（アルミパイプ）と布で出来たものが知られている。段ボールを素材とした携帯できる簡易椅子は存在しない。
【０００３】［発明が解決しょうとする課題］  従来のものは、携帯する椅子としては、大きく少し重く不便である。また簡易椅子として高価である。
【０００４】  また、パイプに張った布の上に座るので、お尻が左右から挟まれるような状態になり常に圧迫感があった。
【０００５】［課題を解決するための手段］  上記目的を達成するために、本発明は段ボールを素材とし折り曲げられた座面と日の字形を持つ着脱可能な脚板とで構成されている。
【０００６】  座面ウラに脚板をアコーデオン折りして収納できる。
【０００７】［発明の実施の形態］  本発明の実施の形態について図面を参照して説明する。図１、段ボールの芯を縦長（左右）になるように、座板１を展開した図で座面２の左右に長方形の穴５を設けて、座面２の四隅に三角形になるよう谷折り線３と、山折り線４を４箇所に作り谷折り線の左右の２箇所に凸部６を作り三角形に折り曲げた時、長方形の穴５に入れて三角形が保持される。長方形の穴５を設けなくとも接着でもよい。
【０００８】  座面２の組み立て、図１の上下を三角形になる様に谷折り山折りを強く折ってから、左右の谷折り山折りして座面２の長方形の穴５に凸部６を差し込めば四隅の三角形は出来あがり、その内側には凹部が出来る。（図２、参照）
【０００９】  図３は、脚板１１を日の字形に折り曲げた斜視図で、段ボールの芯は縦長を利用しているので上からの重さには強い。この脚板１１は図２の座面ウラの凹部にはめ込んで椅子は出来あがる。（図４、参照）
【００１０】  脚板１１の取り外しは引き抜けば良い。この脚板１１の収納は図３の３箇所を谷折り１２、にすると図５の脚板１１のアコーデオン折りになるのでこの状態で図２の座面ウラの凹部に入れれば収納された状態になる。（図６、参照）これにゴムバンドで嵌めておけば紛失の恐れは無い。（図示せず）椅子として使用しているときは、ゴムバンド（図示せず）を脚板１１に嵌めておけば良い。
【００１１】［発明の効果］  本発明は上述のように構成されているので、以下に記載されている効果を発揮することが出きる。
【００１２】  座面２と脚板１１の嵌め込み式の着脱なので椅子の組み立て、分解は容易に誰でもできる。また、はずされた脚板１１は折りたたんで座面ウラの凹部に収納でき、傷めることなく保護されるので（図６、参照）何回でも使用できる。段ボールの素材だから安く提供できる。
【００１３】  椅子に座った身体の重さで座面２ウラにある裏板を脚板１１の上部で固定されるので四隅の三角形を強くする構造になっている。（図４、参照）
【００１４】  特に屋外の行事、運動会、仮装行列、花火などの見物、屋外写生のときなどに、嵩張らず、軽いので脚板を折りたたんで収納し、ゴムバンドなどで止めて、そのままの状態で持ち運びできるので便利である。
【図面の簡単な説明】
【図１】座板の展開図。
【図２】座板を組み立てた座面ウラの斜視図。
【図３】日の字形に組み立てた脚板の斜視図。
【図４】座面に脚板を差し込んだ中央右断面図。
【図５】脚板のアコーデオン折りの図。
【図６】座面ウラの凹部に脚板を収納した斜視図。
【符号の説明】
１  座板                        ５  長方形の穴          ２  座面                        ６  凸部          ３  谷折り線                  １１  脚板          ４  山折り線                  １２  谷折り
【図１】
2006116281.tif 000003
【図２】
2006116281.tif 000004
【図３】
2006116281.tif 000005
【図４】
2006116281.tif 000006
【図５】
2006116281.tif 000007
【図６】
2006116281.tif 000008
(57)【要約】【課題】  しめ縄を容易に、かつ安全に取付けるためのしめ縄固定具を提供する。【解決手段】  本体１は、裏面の粘着テープ９で玄関枠又は軒下に取付けることが可能で、一度取付けるとカバーを設けることにより、本体１を取外す必要はない。本体１の表面の支え腕３にしめ縄１１を載せ、面ファスナーＢ４が取付けられたバンド５でしめ縄１１を巻きつけるように、支え腕３に備えられた面ファスナーＡ２に取付ける。【選択図】          図１
2006116284.tif 000002
【特許請求の範囲】
【請求項１】
本体に、面ファスナーを具備した支え腕を設け、対面に相対する面ファスナーを具備したバンドと、そのバンドと本体とを連結するピンおよびピン固定部とを備えたしめ縄固定具。
【請求項２】
本体の裏面に、固着して弾性体を設け、その弾性体には粘着テープを備えた請求項１記載のしめ縄固定具。
【請求項３】
本体に複数個の穴を設けた請求項１記載のしめ縄固定具。
【発明の詳細な説明】
【発明の詳細な説明】
【技術分野】
【０００１】  この発明は、しめ縄を玄関枠又は軒下に備え付けるための、しめ縄固定具に関するものである。
【背景技術】
【０００２】  従来、しめ縄を取付けるときは、玄関枠又は軒下に釘を打つか又はねじを締め、その釘又はねじの頭に紐または針金を巻いて、しめ縄を縛るなどの方法であった。
【発明が解決しようとする課題】
【０００３】  従来の方法では、次のような欠点があった。
（イ）玄関枠又は軒下が木製の場合は、釘を打つか又はねじを締め、その釘又はねじの頭に紐または針金を巻いて、しめ縄を縛るなど容易ではなかった。
（ロ）特に玄関枠は、アルミ等金属製が主流で釘は打てず、ねじを締め込むことも一般家庭では困難であった。
（ハ）しめ縄の取付けは、高所の作業となるため安全上も危険であった。
（二）賃貸の住まいでは、釘又はねじなどにより家屋に傷を付けられないため、しめ縄を取付けたくても取付けることができなかった。
この発明は、これらの欠点を除くためになされたものである。
【課題を解決するための手段】
【０００４】  この発明に係わるしめ縄固定具は、本体に面ファスナーを具備した支え腕を設け、対面に相対して固定する面ファスナーを具備したバンドと、そのバンドと本体とを連結するピンおよびピン固定部からなり、本体の裏面に、固着して弾性体を設け、その弾性体には、粘着テープを備えたものである。
【０００５】  この発明に係わるしめ縄固定具は、本体に複数個の穴を設けたものである。
【発明を実施するための最良の形態】
【０００６】以下、この発明の実施の形態を図１、図２に基づいて説明する。
本体１に、面ファスナーＡ２を具備した支え腕３を設け、対面に相対して固定する面ファスナーＢ４を具備したバンド５と、そのバンド５と本体１とを連結するピン６およびピン固定部７からなり、本体１の裏面に固着して弾性体８を設け、その弾性体８には、粘着テープ９を備えている。また、本体１に複数個の穴１０を設けている。【０００７】  なお、この発明の実施の形態では図示しないが、しめ縄１１を取付けない場合は、この発明のしめ縄固定具の全体を覆うカバーを備えている。【０００８】  次に使用方法について説明する。
本体１の裏面に備えられた粘着テープ９で、本体１を玄関枠又は軒下に取付ける。この際、使用することが可能であれば、本体１に設けられた穴１０を利用して図示しない釘又はねじで玄関枠又は軒下に取付ける。【０００９】  しめ縄１１を本体１に取付けるときは、面ファスナーＢ４を具備したバンド５を上方へ開放し、しめ縄１１を支え腕３に載せて、上方へ開放したバンド５を下げ、しめ縄１１を巻くようにバンド５に具備された面ファスナーＢ４を面ファスナーＡ２に固定する。しめ縄１１を取外すときは、面ファスナーＢ４を具備したバンド５を上方へ開放するのみでよい。【００１０】  本体１は、玄関枠又は軒下に一度取付けると、しめ縄１１を取付けない場合は、しめ縄固定具の全体を、図示しないカバーで覆う。次にしめ縄１１を取付けるときは、図示しないカバーを外して前述の方法で取付けが可能である。
【発明の効果】
【００１１】  以上のように、この発明に係わるしめ縄固定具は、本体の裏面に備えられた粘着テープで、アルミ等金属製の玄関枠又は軒下、さらには賃貸の住まいでも家屋に傷を付けることなく容易に取付けることが可能である。また、玄関枠又は軒下に釘又はねじが使用可能であれば、本体に設けられた穴を利用することができる。
【００１２】  この発明によれば、本体と粘着テープの間に弾性体を設けているため、玄関枠又は軒下の取付け面が凸凹していても、その凸凹を弾性体が吸収して、本体が玄関枠又は軒下の取付け面から外れないように容易に取付けることができる。
【００１３】  この発明によれば、面ファスナーを具備したバンドを上方へ開放し、しめ縄を支え腕に載せて、上方へ開放したバンドを下げ、しめ縄を巻くようにバンドに具備された面ファスナーに相対する支え腕に具備された面ファスナーに固定するだけで、簡単に且つ確実にしめ縄を本体に取付けることができる。
しめ縄を取外すときは、面ファスナーを具備したバンドを上方へ開放するのみでよい。
【００１４】  この発明によれば、本体は、玄関枠又は軒下に一度取付けると、しめ縄を取付けない場合は、しめ縄固定具の全体を、図示しないカバーで覆う構造であるため、次にしめ縄を取付けるときは、単にカバーを外すのみで、しめ縄自体の取付け取外しが極めて簡単にできる効果が得られる。
【図面の簡単な説明】
【図１】  この発明のしめ縄固定具の全体を示す斜視図である。
【図２】  この発明のしめ縄固定具で、しめ縄を取付けた使用状態を示す正面図である。
【符号の説明】
１    本体
２    面ファスナーＡ
３    支え腕
４    面ファスナーＢ
５    バンド
６    ピン
７    ピン固定部
８    弾性体
９    粘着テープ
１０  穴
１１  しめ縄
【図１】
2006116284.tif 000003
【図２】
2006116284.tif 000004
(57)【要約】【課題】  インプラント手術中  切削した周囲の骨の厚みを把握しにくく、術中Ｘ線にも撮影できない方向でありインプラント治療を成功させるためにも骨の厚みを計測したい。【解決手段】  骨を切削した穴に軸を入れ骨外側との距離を計測する【選択図】  図１
2006116271.tif 000002
【特許請求の範囲】
【請求項１】
切削した骨内部に縦軸を挿入し尖端との距離を計測することにより骨の厚みを計測することを特徴とする顎骨厚み計測器。
【請求項２】
縦軸と針の向きを２通りにすることで、上顎左右、下顎左右を計測することができる。
【発明の詳細な説明】
【技術分野】
【０００１】  本発明は歯科の顎骨内に埋入するインプラント治療の器具に関する。
【背景技術】
【０００２】  従来、顎骨の厚みを計測するには、術前のＣＴや顎骨外側から計測で行われている。【０００３】  インプラント治療とは、歯牙の欠損した部分に人工歯根を顎骨に埋入する治療である。骨に穴をドリルであけていくものである。細いドリルから３ｍｍ、４ｍｍ、５ｍｍと段階的に穴をひろげていく。その際側面の骨がうすくなり側面に穴があくと、失敗の原因になりうる。術前にはＣＴやＸ線写真等で診査するのだが、術中には周囲の顎骨の厚みが気になりながら切削することになる。【０００４】  なお、本願発明に関連する公知技術として次の特許文献１を挙げることができる。【０００５】
【特許文献１】  特開平８−１９６５５０号
【発明の開示】
【発明が解決しようとする課題】
【０００６】  上述の如く、術前の診査等では、術中の骨の状態を把握しにくく、レントゲンによっても撮影できない方向である。確実に切削するためにもインプラント埋入を成功させるためにも、骨の厚みをいつでも把握できることが望ましい。【０００７】  本発明は、術中の骨の厚みを各段階いつでも測定できることが特徴である。
【課題を解決するための手段】
【０００８】  上述の骨の厚みを把握するために、本発明は骨の内壁から外壁間の距離を計測できることが特徴である。
【発明の効果】
【０００９】  以上説明したように術前の診査に基づきインプラント術を行い本発明を用いれば術中にも確実に骨の状態を把握することができ、患者、術者共に安全かつ確実に骨の切削を行うことに有効である。
【発明を実施するための最良の形態】
【００１０】  以下、本発明を図面に基づき詳細に説明する。【００１１】  図１は本発明の２種類の図である。縦軸１と針２の取りつけ位置が異なるこの２種類により周囲の歯牙、舌、口唇をさけ上顎左右、下顎左右を計測することができる。【００１２】  図２は本発明により計測している図である。
【実施例】
【００１３】  図１縦軸１の長さは２０ｍｍから２５ｍｍ程度で縦軸１と尖端３が接触した位置が０ｍｍ、目盛りは１０ｍｍ程度となる。把持部４は１０ｃｍから１５ｃｍ程度で操作しやすくなると考えられる。【００１４】  以上、本発明の実施の形態及び実施例を説明したが、本発明の範囲はこれに限定されるものではない。例えば、インプラント治療で深く骨を切削するようになれば状況に応じて適宜選択されるものである。
【産業上の利用可能性】
【００１５】  本発明は、歯科で使用する器材を製造、販売する産業分野、医療分野で利用することができる。
【図面の簡単な説明】
【００１６】
【図１】  本発明の外観図
【図２】  骨の厚みを計測する図
【符号の説明】
【００１７】  １  縦軸
２  針
３  尖端
４  把持部
５  顎骨
６  歯ぐき
【図１】
2006116271.tif 000003
【図２】
2006116271.tif 000004
(57)【要約】【課題】宝石類を着脱自在にすることにより同じ宝石をさまざまな装身具で使用することができるようにし、また同じ装身具でさまざまな宝石を楽しむことができ、また着脱の際に外れにくい装身具を提供しようとするものである。【解決手段】  宝石、装飾材を固定する台と、装身具本体を別構造とし、宝石台を固定するために弾性体を用いて着脱自在の構造を構成した。【選択図】  図１
2006116275.tif 000002
【特許請求の範囲】
【請求項１】
宝石、装飾材などを固定した台座に突起を取り付けることを特徴とする台座と、その突起に対応し台座保持のための溝又は切り欠きを有し、また中に弾性体を収め弾性体押さえが上下稼動するような加工をした着脱自在な宝飾品固定台。
【請求項２】
宝石、装飾材などを固定した台座に対応する台座に固定するための溝又は切り欠きを有する台と、それに対応する突起を有し、また中に弾性体を収め弾性体押さえが上下稼動するような加工をした着脱自在な宝飾品固定台。
【請求項３】
宝石、装飾材などを固定した台座を弾性体の反動によって固定することを特徴とする宝石、装飾材の固定方法。
【請求項４】
上記１，２の台もしくは３の方法を用いて加工された装飾品。
【発明の詳細な説明】
【技術分野】
【０００１】  この発明は、指輪やペンダントなどの宝石および装飾材の固定部に関するものである。
【背景技術】
【０００２】  従来の宝飾品は、宝石を固定するための台座と宝飾品本体が一体に形成されていた。【０００３】  従来の宝飾品としては、特開平昭６１−１６２９０５号公報に、「兌換性宝飾品」が開示されている。開示の宝飾品は、オス型と、メス型と、オス型又はメス型の一方が設けられた宝飾品台部と、オス型又はメス型の他方に設けられた貴石と、を備えた構成を有している。この構成により、貴石の設けられたオス型又はメス型が宝飾品台部に対して交換可能となり、宝飾品のデザインを変えることができる。
【発明の開示】
【発明が解決しようとする課題】
【０００４】  したがって、従来の製品においてはひとつの宝飾台にはひとつの宝石が固定されていたため使用者は決まった用途でしか一つの宝石を使用することができなかった。また、宝飾台に異なる宝石を付け替えることは使用者にはできなかった。【０００５】  特開平昭６１−１６２９０５号公報に開示の宝飾品はオス型とメス型をボルト締めで結合しているので、ボルトが緩み貴石部が脱落しやすいという課題を有していた。【０００６】  そこでこの考案は、宝石台を交換する際にも外れにくく、一つの宝石を指輪やペンダントなど、さまざまな用途に使用することができる着脱自在な宝飾品固定台を提供することを目的とする。
【課題を解決するための手段】
【０００７】  上記従来の課題を解決するために、宝石を固定した台座と宝飾台を着脱自在になるように構成し、また固定方法として弾性体を用いた。
【発明の効果】
【０００８】  この構成によって、一つの宝石などをさまざまな宝飾品で利用でき、かつ宝石を固定した台が外れにくくすることができる。【０００９】  また、一つの宝飾品でさまざまな宝石などを付け替えて使用することができる。
【発明を実施するための最良の形態】
【００１０】  この考案の実施の形態を、添付した図面に従って説明する。【００１１】  図１、２において、宝石類と台１の台部分に固定用突起２を２箇所対称にとりつける。宝石を通常状態においても枠に固定することによってもろい宝石などの先端などは台によって保護される。【００１２】  固定台３には、宝石類と台１に設けた固定用突起２がはまりあう大きさの溝又は切り欠き溝ａ４をもうけ、４の終点より水平に溝又は切り欠き溝ｂ５をもうける。
さらに、５の終点より上方に溝又は切り欠き溝ｃ６をもうける。なお６において宝石類と台１に取り付けた固定用突起２が固定されるため６は上に突き抜けないものとする。５、６、７は２箇所にもうけるがそれぞれの形は左右反転したものとする。【００１３】  また固定台３には、下辺より上辺に突き抜けないように溝又は切り欠き７をもうけ弾性体押さえ８の固定用突起９を７に通し弾性体を中にいれ下部蓋１２で蓋をする。ここで７，９は２箇所それぞれ対称にもうける。【００１４】  こうして形成された固定台３を指輪やペンダントなど装飾体に取り付ける。【００１５】  このようにして準備した装飾体と宝石類と台１の組み付けは次のように行う
（１）宝石類と台１に取り付けた固定用突起２を固定台３の溝又は切り欠き溝ａ４にはめこみ下まで押し込み弾性体１１を押し下げる。
（２）次は弾性体１１を押し込んだまま溝ｂ５に沿って水平に回し５の終点まできて押し込むのをやめる。
（３）そうすると弾性体の反動で宝石類と台１は固定台３に固定される。
はずす際の作業は上記の反対となる。【００１６】  なおより宝石類と台１を安定して固定するために固定用突起２，８並びに溝又は切り欠き溝ａ４，溝ｂ５、溝ｃ６はそれぞれ数を増やしてもよい。
【実施例】
【００１７】  １の宝石類と台は、この例ではふくりん留めという宝石固定法がとられているが、図３に示すように他の宝石固定法を用いてもよい。その際１と固定台３を筒状で構成したときには、１の３に固定される部分を筒状とし、上部の形を宝石に対応した形にすることによって多角形に形成された宝石も使用でき、図２に示すより図３の固定法では大きいサイズの宝石を使うこともできる。
また、当図では、ファセットカットの宝石を示しているがカボッションカットなど他のカットの宝石を用いることもできる。【００１８】  １３の宝石及び装飾材の一例としては宝石にはダイヤモンド、ルビー、エメラルド、装飾材として七宝などを用いることができる。
台の素材としては貴金属もしくは他の素材を用いてもよい。
また、台座とリング、ペンダントなどの装身具を色調のことなる素材で構成することでも変化を楽しめる
【図面の簡単な説明】
【００１９】
【図１】この発明の一実施例を示し、宝石台座とその固定台の分解斜視図である。
【図２】宝石台の断面図である。
【図３】宝石と台座を固定した状態の他の形態を示す例
【図４】宝石台を固定台に組み込んだ状態を示す断面図
【図５】本発明を組み込んだ指輪の正面図と側面図
【図６】本発明を組み込む前の指輪の正面図
【図７】本発明を組み込んだ他の形態の指輪の正面図と側面図
【図８】本発明を組み込んだペンダントトップの正面図
【図９】本発明を組み込んだ他の形態のペンダントトップの正面図
【符号の説明】
【００２０】１    宝石類と台
２    固定用突起
３    固定台
４    溝ａ
５    溝ｂ
６    溝ｃ
７    弾性体押さえ固定溝
８    弾性体押さえ
９    固定用突起
１０  採光用穴
１１  弾性体
１２  下部蓋
１３  宝石および装飾材
１４  リング部
１５  固定台の取り付け枠
１６  ペンダント本体
【図１】
2006116275.tif 000003
【図２】
2006116275.tif 000004
【図３】
2006116275.tif 000005
【図４】
2006116275.tif 000006
【図５】
2006116275.tif 000007
【図６】
2006116275.tif 000008
【図７】
2006116275.tif 000009
【図８】
2006116275.tif 000010
【図９】
2006116275.tif 000011
(57)【要約】      （修正有）【課題】壁に額縁を簡単に取付ける方法が有ればと考えていたが、それに関するものである。【解決方法】マグネットテープを用いて磁気の力で取付けるようにしたもので、磁気が効かない場合は鉄板を両面テープで取付け、それに取付けるようにした方法。【選択図】図−２
2006116274.tif 000002
【特許請求の範囲】
【請求項１】
アクリル板等透明の板にテープを貼るとかペイントを塗るとか曇ガラス状又はカットグラス状の縁取を施し、裏側にマグネットテープを貼り、内側に展示する絵画とか写真とかを収納して取付るようにした額縁を特徴とする。
【請求項２】
額縁と一体になるようにした鉄板を壁等に貼り付け、磁気取付式額縁を取付けるようにした事を特徴とする。
【発明の詳細な説明】
【発明の詳細な説明】
【従来のやり方】
【０００１】額縁として展示される物が収納され、裏側に当てが施されて一体となった物を下側に受けを設け上側は吊るすとかして取付られていた。
【利用分野】
【０００２】額縁を他のやり方で簡単に取付が出来、展示物の収納も簡単になれば、額縁の利用度が増すと考えられる。
【課題を解決しようとする手段】
【０００３】額縁の前面のガラスに相当する部分に展示物が透視出来る透明のアクリル板等にテープを貼るとかペイントを塗るとか曇ガラス状又はカットグラス状に縁取をし、その裏側にマグネットテープを貼り、展示物を取付けた透明のアクリル板等をマグネットテープを介して鉄板に取付けるようにすれば裏当ては要らなくなり、そのまま取付けが完了する。磁石の効かない壁の場合は鉄板を両面テープ等で壁に貼り、その上にマグネットテープが貼られ展示物が収納された額縁を取付ければ裏当ても兼用出来て好都合となる。透明の板やマグネットテープや鉄板や両面テープ等が一体に組み上った形でペイントを塗ればきれいな仕上がり感が得られる。
【作用】
【０００４】透明な板としてアクリル板を用いた例を示せば、縁取の為にマスキングを剥がし、その上に縁取用のテープを貼るとかペイントを塗るとか表面を傷付けて曇ガラス状にするとかカットグラス状にするとかして額縁の縁とし、その裏側面にマグネットテープを貼るスペースのマスキングを剥がしてマグネットテープを貼付ける。このような作業が終われば、両面の残りのマスキングを剥がし、マグネットテープを貼った内側に展示物を収納しスコッチテープで仮留めしてから鉄板に付着させる。展示物をアクリル板に密着させたい時は展示物の裏側にティシューを貼れば、鉄板に取付けた時にティシューを介して展示物をアクリル板に密着出来るようになり展示効果を高める事が出来る。両面テープを貼って鉄板を壁に取付け出来れば、その上に額縁がマグネットテープにより簡単に取付け出来る。
【実施例】
【０００５】次に図面に基づいて本発明の実施例につき説明する。図１は透明な板の表側に縁取を設けた図、図２は透明な板の裏側にマグネットテープを貼付けた図、図３は鉄板の裏側に両面テープを貼た図、図４は全体を組合せた時の側面図を示す。
本額縁は透明な板▲１▼とその表面に設けられた縁取▲２▼と裏側に貼られたマグネットテープ▲３▼と鉄板▲４▼と鉄板に貼られた両面テープ▲５▼によって構成される。
【発明の効果】
【０００６】取付が簡単であると言う点の他に、如何に安上がりに出来るかと言う事も重要になる。透明な板としてアクリル板を使えば、裁断用治具を用いる事で正確な寸法を罫書かなくても簡単に正確な寸法で裁断出来る。縁取やマグネットテープを貼る為にマスキングを必要な面積だけ剥がすのも治具を使えば簡単に出来る。縁取もテープを貼るかペイントを塗るか曇ガラス状にするかカットグラス状にするか、簡単で見映えのする方法を選んで行う事が出来る。
【図面の簡単な説明】
【図１】透明な板の表側に縁取を設けた図
【図２】透明な板の裏側にマグネットテープを貼付けた図
【図３】鉄板の裏側に両面テープを貼った図
【図４】全体を組合せた時の側面図
【符号の説明】
１  透明な板
２  縁取
３  マグネットテープ
４  鉄板
５  両面テープ
【図−１】
2006116274.tif 000003
【図−２】
2006116274.tif 000004
【図−３】
2006116274.tif 000005
【図−４】
2006116274.tif 000006
(57)【要約】【課題】本発明は、ゴルフなどのスポーツにおいて体重移動が体感できない又は、正しく出来ない人に正しい体重移動を感じ取れる靴を提供する。【解決手段】足の裏の拇指丘（２）が接する部分に穴又は窪み（４）を設けたインナーソール（３）を作成する。穴又は窪み（４）を設けたインナーソール（３）を装着した靴（１）を提供する。又、足の裏の拇指丘（２）が接する部分に穴又は窪み（４）を設けた靴の中敷きを提供する。足の裏の拇指丘（２）が接する部分に穴又は窪み（４）を設けた点が特徴である。【選択図】図２
2006116279.tif 000002
【特許請求の範囲】
【請求項１】
足の裏の拇指丘（２）が接する部分に穴又は、窪み（４）を設けたインナーソール（３）。
【請求項２】
足の裏の拇指丘（２）が接する部分に穴又は、窪み（４）を設けたインナーソール（３）を装着した靴（１）。
【請求項３】
足の裏の拇指丘（２）が接する部分に穴又は、窪み（４）を設けた靴の中敷き。
【請求項４】
足の裏の拇指丘（２）が接する部分に穴又は窪み（４）を設けた靴（１）。
【発明の詳細な説明】
【技術分野】
【０００１】この発明は、ゴルフや野球などのスポーツ選手の機能発揮の為の技術であり、特に体重移動を体感させ、体重移動を完全なものとするインナーソール、中敷き、及びこれらを装着した靴に関するものである。
【背景技術】
【０００２】従来のスポーツにおける靴の技術は、軽量で足に負担の少ない物やいかに靴が足にフィットするかといった技術であった。それは、人間の運動力をいかに靴を通じて地面に伝えるかの技術であった。
体重移動の重要性をゴルフの場合を例にとって説明すると、非特許文献１に示すように「バックスイングで…右足親指の付け根の拇指丘で体重を受けとめ、上体を右股間節に乗せるイメージを持つことです」。又、非特許文献２では、次のように述べている、「インパクトの為には、手首のリリースとともに、右足親指付け根の拇指丘で受けとめていた体重を左足親指付け根の拇指丘へと直線的な体重移動を行う」。このように非特許文献１，２で明らかな様に、体重移動のポイントは、右拇指丘から左拇指丘への移動である。しかしながら、言葉で分かっても体感しないと確実な体重移動が身に付かない。又、現状この体重移動を容易に感じとれる靴の開発はされていない。【０００３】
【非特許文献１】「スウィングの核心」（新星出版社  ｐ５２  １−６行）
【非特許文献２】「スウィングの核心」（新星出版社  ｐ７１  １９−２０行）
【発明の開示】
【発明が解決しようとする課題】
【０００４】ゴルフの場合を例にとって説明する。ゴルフを始めて、上達するポイントの一つとして体重移動がある。体重移動をする上でアマチュアは多くのミスを侵しているのが現状であり、上達を妨害している点でもある。非特許文献１，２で述べているように、体重移動のポイントは、右拇指丘から左拇指丘への移動である。しかしながら、言葉で分かっても体感しないと確実な体重移動が身に付かない。現状の靴で体重移動を感じるには、優れた訓練を積まないと身につけられない。本発明は、今までのシューズでは体感できなかった右拇指丘から左拇指丘への体重移動をより明確に体感させるようになされた発明である。
【課題を解決するための手段】
【０００５】足の裏の拇指丘（２）が接する部分に穴又は窪み（４）を設けたインナーソール（３）を装着した靴（１）とする。これにより、拇指丘は穴又は窪みを敏感に感じ取ることが出来、体重移動を確実なものとする。本発明は、以上の構成からなる、靴が人間の感覚に刺激を与え正しい体重移動を促進する構造の靴である。
【発明の効果】
【０００６】本発明の効果として、第一点、人間が体重を均等に左右の足にかけた場合、拇指丘は丸い穴又は、窪みによって接地を感じる事が出来ず脳は不安感を覚える。しかも、それによって、人間の意識は丸い穴又は窪みに接した拇指丘に行く。正しく拇指丘に体重を移動することにより、穴の部分は多少変形し又拇指丘部は、穴又は窪みの周囲（エッジ）からの圧力を感じる。その時人間は、体重がまさに拇指丘に乗った事を感じ取る。第二点、第一点で人間の感覚に靴が信号を送る事により体重移動を確実に感じ取る事が出来、ゴルフ、野球、サッカー、ラグビ、などのスポーツにおける地面と人間とをつなぐ感覚が増す。特に足の裏を敏感に使うスポーツに効果的である。
【発明を実施するための最良の形態】
【０００７】以下、図を参照して、本発明の実施形態を説明する。
（イ）図２を参照してインナーソールを説明する。靴の本体（１）の内部の足が接触する部分（３）は、インナーソールと呼ばれ、一般的には発砲ウレタン、スポンジラバーなどの材質から作られ、靴（１）の内部に装着される。
（ロ）図３を参照してインナーソールの細部を説明する。インナーソールの厚みは、さまざまであるが、例として３ｍｍから５ｍｍが一般的である。このインナーソール（３）に図１で示した拇指丘（２）が触れる穴又は、窪み（４）を設ける。
（ハ）図２において全体を説明する。穴又は、窪み（４）を設けたインナーソール（３）を靴（１）に装着する
（ニ）右足、左足用ともにインナーソールには、穴又は、窪み（４）を設ける
（ホ）インナーソールの穴の具体例として、図３及び図４において説明する。  足の大きさ２４．５ｃｍの場合、（４）の穴又は窪みは、長径２８ｍｍ、短径２０ｍｍの楕円形をなし、深さは、４ｍｍとして効果があった。
（ヘ）穴又は窪み（４）のサイズ及び形は、足の大きさにより、適度な大きさを選定する。
【図面の簡単な説明】
【図１】人間の足の拇指丘を示す足の斜視図である。
【図２】本発明のインナーソールを装着した靴の斜視図である。
【図３】本発明のインナーソールの平面図である。
【図４】本発明のインナーソールＸ−Ｘ線断面図である。
【符号の説明】
１  靴本体    ２  人間の足の拇指丘    ３  インナーソール    ４  本発明の穴又は窪み
【図１】
2006116279.tif 000003
【図２】
2006116279.tif 000004
【図３】
2006116279.tif 000005
【図４】
2006116279.tif 000006
(57)【要約】【課題】トイレットペーパーの切り取った紙の切れ端が繰り返しロール紙から剥離していて、指で摘める程度の長さで常に覗き出ている取り出し易いトイレットペーパーホルダーを提供する。【解決手段】▲１▼ロール紙軸と平行な横棒を設ける、これは、ロール紙から紙切れ端部を剥離させるとともに紙を切り取る際に傘との間に挟んで紙を固定する二つの機能を持つものである。▲２▼傘を押さえて紙を切り取った後上方向に反発して元の位置に戻る、紙切り取り部を設ける。これにより紙切れ端が覗き出る。これら▲１▼、▲２▼を特徴とする、紙が引き出し易いトイレットペーパーホルダー。【選択図】  図２
2006116276.tif 000002
【特許請求の範囲】
【請求項１】
ロール紙軸と平行な横棒（４）を設け、上下方向に可動し、上限の定位置に戻る反発効果を備えた、紙切り取り部（２）を設けた、紙が引き出し易いトイレットペーパーホルダー。
【発明の詳細な説明】
【技術分野】
【０００１】トイレットペーパーホルダーに紙を引き出し易くした機能を備えたものである。
【背景技術】
【０００２】従来のトイレットペーパーホルダーは、紙を引き出す時、毎回ロール紙に密着した紙の切れ端を探るために下から手でロール紙を回転させるなどの何らかの方法でロール紙に密着した部分を剥離させ、切れ端部を探し、摘み出す操作が必要であった。
その操作ゆえにスピーディーで且つスマートな紙の引き出しが出来なかった。
【発明の開示】
【発明が解決しようとする課題】
【０００３】紙を引き出し易くする為には、以下の３点の課題がある。
▲１▼  紙を切り取った後でもロール紙から切れ端部が剥離している必要がある。
▲２▼  切り取った紙の切れ端部が常に覗き出ていて特別な操作をせずにそのまま指で摘んで引き出しが可能であること。
▲３▼  上記▲１▼▲２▼の連続繰り返しが可能であること。
当考案は、これらの問題点を解決するためになされたものである。
【問題を解決するための手段】
【０００４】（イ）紙の切れ端部をロール紙から剥離させ、且つ紙切り取り時に傘（１）との間に紙を挟んで固定させる為の横棒（４）設ける。
（ロ）傘（１）の元部にバネ（３）を設ける、これにより傘（１）を下に押して紙を切り取った後に、紙切り取り部（２）が上方向に反発し元の位置に戻るようにする。
【発明の効果】
【０００５】  繰り返しロール紙（９）から剥離した紙の切れ端部（５）が覗き出ている為、紙が摘み易く引き出しが容易となり、スピーディーで且つスマートな操作となった。
【発明を実施するための最良の形態】
【０００６】（イ）傘は、従来品と同様にほぼ垂直に上げることが可能なものとしてロール紙交換が容易な構造とし〔図１〕、傘（１）元部にバネ（３）を設け、紙切り取り部（２）の上下動の可動範囲を３ｃｍ程度とする、これにより傘（１）を押し下げて紙切り取り部（２）で紙を切り取った後に、紙切り取り部（２）が上方向に３ｃｍ程度反発するようにする。
（ロ）傘（１）が上方向に反発した時の上限の位置規制は、バネ（３）の角度及び取り付け位置によって設定し、上限の状態で紙切り取り部（２）と横棒（４）を水平方向でほぼ同じにする。〔図４〕
（ハ）傘（１）の形状で、傘曲り部（６）から紙切り取り部（２）までの長さＢ（１１）は、紙切り取り部（２）の上下動の可動範囲に合わせ３ｃｍ程度にする。〔図４〕
（ニ）横棒（４）の前後方向の位置は、ロール紙の外径面が指に干渉しない程度に隙間Ａ（１０）を２センチほどに設定する。〔図４〕
（ホ）これらにより傘（１）を押し下げて紙切り取り部（２）で紙を切り取った後に、紙切り取り部（２）が上方向に３ｃｍ程度反発するので紙切れ端部（５）が、摘み易い長さＣ（１２）が３ｃｍ程度覗き出る。
尚、〔図５〕に示すように、傘（１）の素材を反発する弾性のある材質（鋼板や合成樹脂など）を使用した傘（７）を用いて、その元部に傘（７）の屈折の支点となる屈折支点棒（８）を設けてもよい。
また屈折支点棒（８）やバネ（３）の代わりに弾性のあるゴムやスポンジを用いてもよい。
本発明は、以上のような構造で、使用方法は、以下の順序となる。
（イ）ロール紙の取り付けは、傘を上げてロール紙を上から取り付ける。その時にロール紙の切れ端を横棒（４）に掛けてから傘を下ろす。〔図２〕
（ロ）紙引き出しは、従来品と同様で、紙の切れ端部（５）を摘んで引き出す。
（ハ）紙の切り取りは、傘（１）を上から押して横棒（４）に紙を挟み固定させ紙切り取り部（２）を使用して切り取る。〔図３〕
（ニ）手を離すとバネの反発によって傘（１）が持ち上がり紙切り取り部（２）が元の位置に戻り、紙切れ端部（５）が露出する。
（ホ）以上（ロ）〜（ニ）を繰り返して使用する。
【図面の簡単な説明】
【０００７】
【図１】本発明の全体斜視図。
【図２】ロール紙を取り付ける状態を示す斜視図。
【図３】傘（１）を上下動させた側面図。
【図４】紙を切り取った後の側面図。
【図５】弾性素材を用いた傘（７）を上下動させた側面図
【符号の説明】
【０００８】  １  傘
２  紙切り取り部
３  バネ
４  横棒
５  紙切れ端部
６  傘曲り部
７  傘（弾性のある材質のもの）
８  屈折支点棒
９  ロール紙
１０  隙間Ａ＝ロール紙（９）と紙切れ端部（５）の隙間
１１  長さＢ＝傘曲り部（６）から紙切り取り部（２）の長さ
１２  長さＣ＝紙切れ端部（５）の長さ
【図１】
2006116276.tif 000003
【図２】
2006116276.tif 000004
【図３】
2006116276.tif 000005
【図４】
2006116276.tif 000006
【図５】
2006116276.tif 000007